(57)【要約】【課題】破損したベルトのみ取り換えて経済的に再使用することができたり、或いは、胴ベルトが必要ない時には、そのホルダーも簡単かつ迅速に取り外すことができるハーネス型安全帯を提供する。【解決手段】２本の肩ベルトをそれぞれ左右の肩に前後に掛け回して、それらの端部を腿の位置まで下ろし、各端部に左右の腿ベルトを取り付けて成るハーネス型安全帯において、上記肩ベルトの端部を筒状部とし、該筒状部に腿ベルトを抜き差し自在に挿通せしめる。【選択図】        図１
2006223639.tif 000002
【特許請求の範囲】
【請求項１】
２本の肩ベルトをそれぞれ左右の肩に前後に掛け回して、それらの端部を腿の位置まで下ろし、各端部に左右の腿ベルトを取り付けて成るハーネス型安全帯において、上記肩ベルトの端部を筒状部とし、該筒状部に腿ベルトを抜き差し自在に挿通せしめることを特徴とするハーネス型安全帯。
【請求項２】
上記筒状部に挿通させた腿ベルトの両側にベルトリテーナを着脱自在に取り付けることを特徴とする請求項１に記載のハーネス型安全帯。
【請求項３】
上記腿ベルトの先端に取り付けたバックルの開口部の両側に、内側に向けて突起を設けて、腿ベルトとの相対的な動きを規制するように構成することを特徴とする請求項１または２に記載のハーネス型安全帯。
【請求項４】
２本の肩ベルトをそれぞれ左右の肩に前後に掛け回して、胴部位置まで下ろして成るハーネス型安全帯において、上記肩ベルトの胴部位置に、胴ベルトホルダーを付設して、該胴ベルトホルダーに肩ベルトを挟む状態で胴ベルトを抜き差し自在に挿通せしめることを特徴とするハーネス型安全帯。
【発明の詳細な説明】
【技術分野】
【０００１】
本発明は、ハーネス型安全帯に関するものである。
【背景技術】
【０００２】
従来のハーネス型安全帯は、図９に示すように、２本の肩ベルトＢ１を背中でクロスさせると共にそれぞれ左右の肩に前後に掛け回し、それらの端部を腿の位置まで下ろし、各端部に左右の腿ベルトＢ２をそれぞれ縫い合わせ構成されている。上記肩ベルトＢ１のクロス部分はＤ環（図示せず）等が接続されたバックルパッドＢ３で止められている。また、Ｂ４は胸ベルトであり、上記２本の肩ベルトＢ１の胸部が拡がらないように、相互に接続している。
しかしながら、上記従来の安全帯は、例えば、１本の肩ベルトＢ１が破損した場合でも、安全帯の全体を廃棄しなければならず、経済的でない等の問題点があった。
【０００３】
また従来、図１０に示すように、肩ベルトＢ１の胴部分に胴ベルトＢ５を巻き付けるタイプのものでは、この胴ベルトＢ５がずれないように、胴ベルトホルダーＢ６により上記肩ベルトＢ１に固定していた。
しかしながら、図１１から明らかなように、上記胴ベルトホルダーＢ６は、胴ベルトＢ５が必要ない時でも取り外すことができず、そのため余分な胴ベルトホルダーＢ６が邪魔になっていた。
【発明の開示】
【発明が解決しようとする課題】
【０００４】
本発明が解決しようとする課題は、破損したベルトのみ取り換えて経済的に再使用することができたり、或いは、胴ベルトが必要ない時には、そのホルダーも簡単かつ迅速に取り外すことができるハーネス型安全帯を提供することにある。
【課題を解決するための手段】
【０００５】
本発明のハーネス型安全帯は、２本の肩ベルトをそれぞれ左右の肩に前後に掛け回して、それらの端部を腿の位置まで下ろし、各端部に左右の腿ベルトを取り付けて成るハーネス型安全帯において、上記肩ベルトの端部を筒状部とし、該筒状部に腿ベルトを抜き差し自在に挿通せしめることを特徴とする。また、上記筒状部に挿通させた腿ベルトの両側にベルトリテーナを着脱自在に取り付けることを特徴とする。さらに、上記腿ベルトの先端に取り付けたバックルの開口部の両側に、内側に向けて突起を設けて、腿ベルトとの相対的な動きを規制するように構成することを特徴とする。また、２本の肩ベルトをそれぞれ左右の肩に前後に掛け回して、胴部位置まで下ろして成るハーネス型安全帯において、上記肩ベルトの胴部位置に、胴ベルトホルダーを付設して、該胴ベルトホルダーに肩ベルトを挟む状態で胴ベルトを抜き差し自在に挿通せしめることも特徴とする。
【発明の効果】
【０００６】
本発明のハーネス型安全帯は、次のような利点がある。
１）安全帯の肩ベルトと腿ベルトは、破損したベルトだけを交換できるので、経済的メリットは非常に大きい。
２）胴ベルトを必要としない時には、その装着用の部材を付けたままにしておく必要がないので、肩ベルト周りがスッキリとし、また、軽量化を図ることができる。
【発明を実施するための最良の形態】
【０００７】
以下、本発明の各実施例について、図面を参照しながら説明する。
【実施例１】
【０００８】
図１は、本発明のハーネス型安全帯の第１の実施例を示すもので、１は肩ベルトであって、その下端部は折り返されて筒状部１ａとなっている。
【０００９】
上記筒状部１ａには腿ベルト２が抜き差し自在に挿通しており、簡単かつ迅速に、組付けたり分離することができるようになっている。この状態では、腿ベルト２に沿って肩ベルト１の下端部が容易に移動してしまうため、装着性が非常に悪く実用的でない。そこで、図２に示すように、この組み付け部分にベルトリテーナ３を取り付ける。
【００１０】
上記ベルトリテーナ３は、図３に示すように、左右に２本ずつの差込スリット３ａが形成されていて、これらの差込スリット３ａに上記腿ベルト２を通す（図２参照）ようになっている。該ベルトリテーナ３は、ゴムや軟質プラスチック等の柔軟性のある材料から成る。
【００１１】
上記差込スリット３ａの幅Ｗは、位置決めを確実にするために、腿ベルト２の幅とほぼ同じ寸法を有するので、図３（Ｂ）に示すように、腿ベルト２の端部のバックル４は、このままでは差込スリット３ａを通過できない。そこで、該バックル４の開口形状を工夫して、通過を可能とする。
【００１２】
図４（Ａ）〜（Ｄ）は、上記ベルトリテーナ３の差込スリット３ａに、上記腿ベルト２を通す手順を説明するもので、先ず、図４（Ａ）に示すように、上記バックル４を９０度回転させて、腿ベルト２の長手方向に向ける。この状態で、該バックル４を上記ベルトリテーナ３の一側の２つの差込スリット３ａに順次通して、図４（Ｂ）に示すように、ベルトリテーナ３を差込スリット３ａに通す。
【００１３】
次に、図４（Ｃ）に示すように、バックル４および腿ベルト２を肩ベルト１の上記筒状部１ａに順次通す。続いて、上記図４（Ｂ）と同じように、バックル４をベルトリテーナ３の他側の２つの差込スリット３ａに順次通す。通し終わったバックル４は、図４（Ｄ）に示すように、元の状態に戻す。
【００１４】
なお、上記バックル４を回転させるために、その開口部４ａを大きくする必要があるが、開口部４ａを大きくとったバックル４は、腿ベルト２の先端部において容易に動いてしまって、腿ベルト２の着脱の際には使い辛い。これを解決するために、図４（Ｄ）からも明らかなように、開口部４ａの両側に内側に向けて突起４ａ′を設け、腿ベルト２との相対的な動きを規制している。
【実施例２】
【００１５】
図５（Ａ）は、本発明のハーネス型安全帯の第２の実施例の胴ベルトホルダー５を示すもので、図５（Ｂ）に示すように、２つの端部材５ａと、これらの端部材５ａを連結する連結材５ｂから構成されている。各端部材５ａはプラスチック等から形成されていて２つの長孔５ａ′が開設されており、その１つの長孔５ａ′には、織ベルト等からなる上記連結材５ｂを掛け回して、その重ね部分を縫い付けて一体化している。
【００１６】
上記胴ベルトホルダー５を使用して、胴ベルト６を肩ベルトに取り付けるには、先ず、図６（Ａ）の状態から（Ｂ）に示すように、２つの端部材５ａの間に肩ベルト１が位置するように、胴ベルトホルダー５を肩ベルト１に付設し、続いて、図６（Ｃ）に示すように、長孔５ａ′に胴ベルト６を通す。
【００１７】
上記構成によれば、胴ベルト６を引き抜くだけで、胴ベルトホルダー５が外れてしまい、肩ベルト１周りがスッキリする。
【００１８】
上記実施例では、胴ベルトホルダー５を、２つの端部材５ａと織ベルトからなる連結材５ｂから構成したが、本発明の胴ベルトホルダーは、これに限定するものではなく、プラスチック等で一体成形したものであってもよい。
【実施例３】
【００１９】
図７は、上記胴ベルトホルダー５の別の実施例を示すもので、図７（A）に示すように、胴ベルトホルダー５′に上下２条ずつのスリット５′ａを形成して、図７（B）に示すように、これに肩ベルト１を掛け通し、長孔５′ｂに胴ベルト６（図示せず）を矢印方向から差し込んで組み付ける。
【実施例４】
【００２０】
図８は、上記胴ベルトホルダー５の更に別の実施例を示すもので、図８（Ａ）に示すように、胴ベルトホルダー５″に幅広のスリット５″ａを形成すると共に、左右から櫛状突起５″ａ′を突設して、肩ベルト１を両側から挟むように絞って、図８（Ｂ）に示すように、肩ベルト１を櫛状突起５″ａ′に掛け止め、上記長孔５″ｂに胴ベルト６（図示せず）を矢印方向から差し込んで組み付ける。
【図面の簡単な説明】
【００２１】
【図１】本発明の安全帯の一実施例を示す要部の説明図である。
【図２】図１にベルトリテーナを取り付けた要部の説明図である。
【図３】ベルトリテーナとバックルの関係をそれぞれ示す説明図（Ａ）および（Ｂ）である。
【図４】ベルトリテーナの取り付け手順を示す説明図（Ａ）、（Ｂ）、（Ｃ）および（Ｄ）である。
【図５】本発明の安全帯の別の実施例を示す胴ベルトホルダーの説明図（Ａ）および（Ｂ）である。
【図６】胴ベルトホルダーによる肩ベルトへの胴ベルトの取り付け手順の説明図（Ａ）、（Ｂ）および（Ｃ）である。
【図７】胴ベルトホルダーの別の実施例を示す説明図である。
【図８】胴ベルトホルダーの更に別の実施例を示す説明図である。
【図９】従来のハーネス型安全帯を示す説明図である。
【図１０】従来の胴ベルト付きハーネス型安全帯を示す説明図である。
【図１１】図１０の安全帯から胴ベルトを抜いた状態の要部説明図である。
【符号の説明】
【００２２】
１    肩ベルト
１ａ  筒状部
２    腿ベルト
３    ベルトリテーナ
３ａ  差込スリット
４    バックル
４ａ  開口部
４ａ′突起
５、５′、５″  胴ベルトホルダー
５ａ  端部材
５ａ′長孔
５′ａ、５″ａ  スリット
５ｂ  連結材
５′ｂ、５″ｂ  長孔
６    胴ベルト
【図１】
2006223639.tif 000003
【図２】
2006223639.tif 000004
【図３】
2006223639.tif 000005
【図４】
2006223639.tif 000006
【図５】
2006223639.tif 000007
【図６】
2006223639.tif 000008
【図７】
2006223639.tif 000009
【図８】
2006223639.tif 000010
【図９】
2006223639.tif 000011
【図１０】
2006223639.tif 000012
【図１１】
2006223639.tif 000013